(57)【特許請求の範囲】
【請求項１】
把手付き吸入ポンプの一方の吸引口に一定長の吸引管を設けるとともに、その他方の排出口に、端部に散布ノズルを有するホースを連結した形状の堆肥散布機において、前記吸入ポンプに、この吸入ポンプを作業者の腰部分付近で保持可能な長さの肩掛け用吊り紐を取り付け、また多数の吸気孔を形成した多孔支持体を、前記吸引管の下部に着脱自在に取り付けて構成し、堆肥の収納容体の形状に応じて、前記多孔支持体を装着又は離脱させて使用できるようにしたことを特徴とする肩掛け型堆肥散布機。
【発明の詳細な説明】
【０００１】
【発明が属する技術分野】
本発明は、狭い農地や傾斜地でも効率よく堆肥や肥料の散布を行うことができる、肩掛け型の堆肥散布機に関する。
【０００２】
【従来の技術】
従来、農地や果樹園、園芸ハウス栽培等（以下、農地と称す）においては、肥料や堆肥を定期的に散布することは欠かせない作業である。その散布作業の方法として一般的に行われる方法は、肥料を入れた容器を肩に掛けて歩きながら手で散布する方法、またトラクターなどに専用の散布装置を備えた自動車に運転者が乗って散布する方法や、人が傍に付いて運転する小型の散布車などを利用して、化学肥料や堆肥を散布する方法が広く行われている。
【０００３】
さらに、公知公開される堆肥散布機の技術も様々なタイプがあるが、いずれも散布装置を組み込んだ専用自動車やトラクターなど大型の散布機や散布装置である。またハウス栽培などの場合は、液体肥料などを散布する配管をハウス内に施工して、自動的に肥料を散布することができる散布装置の技術も見られる。
【０００４】
【発明が解決しようとする課題】
以上のような肥料や堆肥（以下、堆肥と称す）の散布方法や散布機、並びに関係技術が提供されており、いずれもその目的を果たすものであり、特に広い農地での堆肥の散布作業にはトラクターなどによる効率よい散布方法が広く採用されている。
【０００５】
しかし、広い農地などはトラクターなどを用いた大型の散布機は有効であるが、狭い農地や傾斜地はもとより、ハウス栽培などが多い日本においては、堆肥の散布作業の際は、前記するトラクターなど大型タイプはもとより、人が傍について運転する自走式の小型の散布機等による堆肥の散布方法は適さないものであった。また例え狭い農地や傾斜地であっても、昔ながらの人手による堆肥散布方法は効率のよいものではなく、最近のように作業者の高齢化が進むと、体力的にも手作業での散布方法は厳しい環境になって来ている。
【０００６】
さらに具体的に述べると、まずトラクターなどの場合は、広い農地でかつ散布車が効率よく運転できるように、あらかじめ農地を整地することが条件でありコスト高となり、傾斜地などには採用しにくいなどの面倒や欠点がある。さらにハウス栽培などの場合は小型の散布車を用いても散布作業はやりにくいことに加え、液体肥料の散布装置を配管するには多額の施工費用を要するとともに、粒状の堆肥散布は配管では無理であるので、人手による散布に頼る面倒と、効率のよい堆肥散布が行えないなどの不便があった。
【０００７】
加えて、前記するトラクターや人が傍に付いて運転する自走式散布車による堆肥散布方法は、機械力による画一的な散布方法が一般的であるので無駄が多く、また苗や野菜、花などの栽培物の成育状態に合わせて、必要な量を特定部分に堆肥散布するなど、きめ細かい堆肥散布を施すことは構成的に無理であった。
【０００８】
【課題を解決するための手段】
本発明は以上のような従来の堆肥散布機が持つ不便や欠点を解消するために発明したものであって、まず堆肥散布機は狭い農地や傾斜地でも効率よく自在に使えるために、散布機を肩に掛けて腰部付近で保持しながら作業が行える堆肥散布機とする。その堆肥散布機の構成は、把手付き電動吸入ポンプの吸引口に一定長の吸引管を設け、他方の排出口には、端部に散布ノズルを有して自在に曲がるホースを連結し、かつ前記吸入ポンプの把手に肩掛け用吊り紐を取り付けるとともに、前記吸引管に、多数の吸引孔が形成された多孔支持体を着脱自在に取り付けて成る堆肥散布機を構成する。
【０００９】
【発明の実施の形態】
本発明における堆肥散布機１は、電動型の軽い吸入ポンプ７の吸引口８に、着脱自在の多孔支持体１２を備えた吸引管１０を設け、他方の排出口１４には、端部に散布ノズル１５を備えて自在に曲がるホース１６を連結して成るものとし、さらに前記吸入ポンプ７の把手６に、吸入ポンプ７を作業者の腰部付近で保持可能な長さの吊り紐１８を取り付けた、きわめて簡易で扱い易い肩掛け型の堆肥散布機１を構成している。
【００１０】
加えて、前記の吸引口８に設けられた吸引管１０には、着脱自在の多孔支持体１２が組み合わされているが、バケツなど一定の形を成す容器に堆肥Ｂを入れて散布する場合は、前記多孔支持体１２が無くてもよいが、図４に示すように柔らかい収納袋Ａに入れた堆肥Ｂを散布する場合には、前記多孔支持体１２を取り付けたうえで使用すると、図示するようにポンプを作動させて吸引しても収納袋Ａの開口部分が、前記多孔支持体１２によって必要以上に吸い寄せられずに一定形状で保持され、かつ空気は数多くの吸気孔１１から連続して取り込めるので、堆肥を入れた柔らかい収納袋Ａや一定の形の容器を問わず、携行しなが堆肥の吸引効率を維持して、狭い農地や傾斜地であっても効率よく堆肥散布を行うことができる。尚、この場合の作業者は、図４に示すように一方の手で把手６及び収納袋Ａ等を持ち、他方の手で散布ノズル１５を持って散布作業をするものとする。
【００１１】
また、この堆肥散布機１の大きな特徴は、前記するように肩に掛けて携行しながら操作することが可能であるので、従来の散布機に見られるような画一的な散布方法と異なり、苗や野菜の成育状態に応じてきめ細かく堆肥Ｂを散布することが可能な肩掛け型の堆肥散布機１を構成する。
【００１２】
【実施例】
本発明の実施例を、図１に示す堆肥散布機の斜視図と図２に示す堆肥散布機の断面図及び図３の使用状態における吸引管部を示す作用例図を参照して説明する。
この発明における堆肥散布機１は、電動のモーター２、電源コード３、スイッチ４、吸引ファン５を備えた把手６付き吸入ポンプ７の吸引口８に、一定長で下部位に係止突部９を有する吸引管１０を設け、その吸引管１０の係止突部９には、数多くの吸気孔１１を有するラッパ状の多孔支持体１２を嵌め込んで止めリング１３で固定する。他方、前記吸入ポンプ７の排出口１４には、端部に散布ノズル１５を備えて自在に曲がるホース１６を取り付けて成る前記吸入ポンプ７の把手６に、その吸入ポンプ７を作業者の腰部付近で保持可能な長さの肩帯１７付き吊り紐１８を取り付けて、本発明の肩掛け型の堆肥散布機１を構成する。
【００１３】
この発明の堆肥散布機１の吸入ポンプ７の駆動力は、電動のモーター２を採用したタイプであるが、バッテリー方式でもガソリンを用いるエンジン駆動方式でも構わないものであり、駆動力の手段は特定しないものである。
【００１４】
【発明の効果】
本発明における堆肥散布機は以上のような構成であるので、次に示すような長所や効果を提供するものである。
【００１５】
まず、この発明による堆肥散布機は、肩掛け吊り紐を備えた電動の吸入ポンプの吸引口に吸引管を、他方の排出口には散布ノズル付き自在ホースを取り付けた簡易な堆肥散布機を構成しているので、狭い農地はもとより傾斜地をはじめ、ハウス内でも気軽に肩に掛けて効率よく堆肥の散布作業を行うことが可能である。
【００１６】
加えて、駆動力は電動モーターを採用しているので軽くて出力が高いので、連続した散布作業でも疲れにくい。さらに簡易な肩掛け方式に加えて、散布ノズルは自在に曲がるホースに連結しているので、苗や野菜の成育状態に合わせたり、根元部位に的確に堆肥を散布することが可能であるので、従来見られるような画一的な散布方法と異なり、きめ細かい堆肥散布作業を行うことができる。
【００１７】
また構成もきわめてシンプルで軽いので、高齢化した作業者や女性であっても操作し易く、コストも安価に提供できる。したがって従来には見られない狭い農地や傾斜地であっても、機能的にして効率よく、かつ扱い易い肩掛け式の堆肥散布機を広く提供することができる。
【００１８】
さらに本発明では、吸引管に多孔支持体を着脱自在に取り付けることができるので、堆肥の収納容体が如何なる形状あっても、その容体の形状に応じた堆肥の吸引散布を行うことができる。
【図面の簡単な説明】
【図１】本発明の堆肥散布機の実施例を示す斜視図。
【図２】本発明の堆肥散布機を示す断面図。
【図３】本発明の堆肥散布機の使用状態における吸引管部を示す作用例図。
【図４】本発明の堆肥散布機の使用状態図。
【符号の説明】
１・・・堆肥散布機
２・・・モーター
３・・・電源コード
４・・・スイッチ
５・・・吸引ファン
６・・・把手
７・・・吸入ポンプ
８・・・吸引口
９・・・係止突部
１０・・吸引管
１１・・吸気孔
１２・・多孔支持体
１３・・止めリング
１４・・排出口
１５・・散布ノズル
１６・・ホース
１７・・肩帯
１８・・吊り紐
Ａ・・・収納袋
Ｂ・・・堆肥
【図１】
0003572308.tif 000002
【図２】
0003572308.tif 000003
【図３】
0003572308.tif 000004
【図４】
0003572308.tif 000005